(57)【要約】      （修正有）【課題】シートベルトは、後部座席の３人以上の複数に設けられているが、シートベルトと固定するバックルが見極めにくい。搭乗者が見極めやすく、容易にシートベルトを装着可能とする。【解決手段】自動車の座席用の、シートベルトおよびバックルに色を施して、左搭乗者用にはＡ色シートベルト１とＡ色バックル２を一対に設け、右搭乗者用にはＢ色シートベルト３とＢ色バックル４を一対に設け、中央搭乗者用にはＣ色シートベルト５とＣ色バックル６を一対に設け、シートベルトとバックルに同一の色を施す。また、シートベルトおよびバックルに、光るＬＥＤ７と音発生手段８を設け、シートベルトとバックルが相合した時に、確認できるようにする。【選択図】図１
2010089766.tif 000002
【特許請求の範囲】
【請求項１】
自動車の単座席用および複数座席用等の、シートベルトおよびバックルに色を施して、左搭乗者用にはＡ色シートベルト（１）とＡ色バックル（２）を一対に設け、右搭乗者用にはＢ色シートベルト（３）とＢ色バックル（４）を一対に設け、中央搭乗者用にはＣ色シートベルト（５）とＣ色バックル（６）を一対に設ける、このように色分けした特徴を成す、装着識別容易なシートベルト。
【請求項２】
シートベルトおよびバックルに、光るＬＥＤ（７）を設けた、請求項１記載の、装着識別容易なシートベルト。
【請求項３】
シートベルトおよびバックルに、音発生手段（８）を設けた、請求項１および請求項２記載の、装着識別容易なシートベルト。
【発明の詳細な説明】
【技術分野】
【０００１】  本発明は、法的に義務づけられた自動車搭乗者へのシートベルトを、誰でも容易に装着出来るように考えられた、シートベルト装着の技術に関するものである。
【背景技術】
【０００２】  シートベルトの使用は近年、搭乗者を事故から守ると云う事で、法規制と共に自動車全体に普及しており、座席に搭乗する場合は、必ず着用義務づけされている。特に後部座席は複数の搭乗者が着用するので、車両の大きさによるが３人分から４人分のシートベルトが設けられている。
【発明の開示】
【発明が解決しようとする課題】
【０００３】  現状は、ワゴン車等大型になると、とくに後部座席は横一線に３人から４人のる事もあり、シートベルトは３人分から４人分が取り付けられている。またタクシー等の中型車に於いても、後部座席等には少なくても３人分のシートベルトが設けられている。また、その全部のシートベルトは黒色、灰色、茶色等の単色に統一されて設けられている事がほとんどである。
また最近では、特開２００４−２１０１３９「自動車用蛍光色シートベルト」のごとく、暗い自動車内に於いても、装着している状態を目立たせることによる、装着意識を高めることを目的にした、フアッション性を考えたものが開示されている。またその他、搭乗者がシートベルトをしている事を、自動車の外部に知らしめる目的のものが、最近開示されている。
しかしながら、例えばタクシーの後部座席に２人または３人で搭乗する場合に、そのシートベルトの着用に苦慮する事が多い。それは３人分のシートベルトとそれを固定する、バックルの見極めが難しく、確かに現状ではシートベルトと一対の固定するバックルとが、３人分ともなれば狭い座席では、ゴチャゴチャと配設配列されてしまうのは、仕方のない事であった。だから運転手に催促されても、多くの搭乗者は、すぐに装着が出来ない困難に実際に遭遇していることは、我々の体験でも事実である。
これら問題点を改善するために本発明はなされたのである。
【課題を解決するための手段】
【０００４】  つまりこの問題は、複数のシートベルトと一対のバックルを容易に視認出来れば良いことである。その問題解消手段として、まず自動車の単座席用も含めて複数座席用等のシートベルトおよびバックルに色を施すことである。３人座席用で説明すれば、左搭乗者用にはＡ色シートベルト（１）とＡ色バックル（２）を一対同色に、Ａ色を着けて設ける。また右搭乗者用にはＢ色シートベルト（３）とＢ色バックル（４）を一対同色に設ける。さらに中央搭乗者にはＣ色シートベルト（５）とＣ色バックル（６）を一対同色に設ける。つまりＡ色、Ｂ色、Ｃ色は赤、白、緑、青なんでも良いのである。一対に体に装着するシートベルトと固定するバックルの色が同じであれば、容易に搭乗者自身の装着するシートベルトの視認、識別が出来るので、容易に装着出来るのである。
また、夜間のような暗い場合に搭乗する事も多いので、ＬＥＤ（７）をシートベルトとバックルに装着する。つまり、搭乗者がシートベルトとバックルを着けると、一対で合っておれば、ＬＥＤ（７）が光る構成である。また、目の不自由な方が搭乗する場合もあるので、シートベルトあるいはバックルに音発生手段（８）を設ける。つまり装着が正しければ、ピッピーと云う音（音の形式は何でも良い）が発生する。これであれば耳からも聞いて正しい装着識別、認識が出来るのである。
【発明の効果】
【０００５】  本発明により、自動車等の座席に設置された複数のシートベルトを見ても、装着時に色分けによる正しい装着確認識別ができ、光が輝くので正しい装着確認識別ができ、音が鳴るので、同じく装着確認識別が出来る。だから目の不自由な搭乗者でも、誰でも容易に間違うことなく、装着および脱着が出来るようになった。
【発明を実施するための最良の形態】
【０００６】  ベストモードとしての本発明を以下、図面を参考に説明すれば、複数のシートベルトと、それらと一対のバックルを容易に視認出来れば良いことである。まず、自動車の単座席用も含めて複数座席用等のシートベルトおよびバックルに、それら一対として視認できる配色を施すことである。たとへば、３人座席用で説明すれば、左搭乗者用にはＡ色シートベルト（１）とＡ色バックル（２）を一対同色に、Ａ色をつけて設けることである。また右搭乗者用にはＢ色シートベルト（３）とＢ色バックル（４）を一対同色に設ける。さらに中央搭乗者にはＣ色シートベルト（５）とＣ色バックル（６）を一対同色に設ける。つまり前記のごとくＡ色、Ｂ色、Ｃ色は赤、白、緑、青なんでも良く、奇麗に配色することである。つまり、一対に体に装着するシートベルトと、それを固定するバックルの色が同じであれば、容易に搭乗者自身の装着するシートベルトの視認、識別が出来るので、容易に装着出来るのである。また、夜間のような暗い場合にも搭乗する事も多いので、ＬＥＤ（７）をシートベルトあるいはバックルに装着する。つまり、搭乗者がシートベルトとバックルを着けると、一対で相合しておれば、ＬＥＤ（７）が光る構成である。このＬＥＤ（７）の光り方は一瞬の輝きで、すぐ消える物や、点灯したままの物でも良い。また、目の不自由な方が搭乗する場合も多いかと思われるので、シートベルトあるいはバックルに音発生手段（８）を設ける。つまり装着が正しければ、ピッピーと云う音（音の形式は何でも良い）が発生するように形成する。これであれば耳からも聞いて正しい装着識別、認識が出来るのである。もちろん単座席にもこのような方式で装置が設けられている。さらに正しく相合された場合は、その信号を拾い運転席インパネ面のＬＥＤ（７）が点灯して、運転者に知らしめるような形式にしても良い。【０００７】  本発明は以上のような構成であり、これを使用するときには、まずタクシー等に３人が後部座席に座る時に、シートベルトとバックルを視認して、一対同士の同色のものを選び、一人一人順番にシートベルトを装着する。そして各々、装着が相合すればＬＥＤ（７）が光って確認出来るし、あるいは音発生手段（８）がピッピと知らせてくれるので、目の不自由な方がいても、その方自身でも装着できるし、確認も出来るのである。
【図面の簡単な説明】
【０００８】
【図１】    本発明の構成図である。
【図２】    本発明の実施図である。
【符号の説明】
【０００９】        １  Ａ色シートベルト
２  Ａ色バックル
３  Ｂ色シートベルト
４  Ｂ色バックル
５  Ｃ色シートベルト
６  Ｃ色バックル
７  ＬＥＤ
８  音発生手段
【図１】
2010089766.tif 000003
【図２】
2010089766.tif 000004